(57)【要約】【課題】レールブラケットを有するコンピュータシャーシを提供する。【解決手段】本発明は、シャーシ本体と、少なくとも１つのスレッドと、少なくとも１つの後部ブラケットと、を含むシャーシアセンブリを提供する。シャーシ本体は、シャーシ本体の対向する側面に沿う少なくとも一対のレールブラケットを有する。少なくとも１つのスレッドは、コンピュータコンポーネントを搭載し、コンピュータコンポーネントに従ってサイズ調整されている。少なくとも１つの後部ブラケットは、少なくとも１つのスレッドと接続されている。【選択図】図２
2020144836.tif 000002
【特許請求の範囲】
【請求項１】
コンピュータシャーシであって、
少なくとも一対のレールブラケットを有するシャーシ本体を備え、
前記少なくとも一対のレールブラケットのうち第１レールブラケットは、前記シャーシ本体の第１側に位置し、前記少なくとも一対のレールブラケットのうち第２レールブラケットは、前記シャーシ本体の第２側に位置し、前記第２側と前記第１側とは、前記シャーシ本体の反対側であり、
前記第１レールブラケット及び前記第２レールブラケットは、前記シャーシ本体の底面から設定高さに位置することを特徴とするコンピュータシャーシ。
【請求項２】
前記シャーシ本体は、少なくとも２つのパーティションを備え、前記少なくとも一対のレールブラケットは、各パーティションの側面に沿って配置されていることを特徴とする請求項１に記載のコンピュータシャーシ。
【請求項３】
前記コンピュータシャーシは、少なくとも１つのスレッドを備え、前記少なくとも１つのスレッドの各々は、少なくとも１つのコンピュータコンポーネントを搭載し、前記少なくとも１つのスレッドの各々は、前記少なくとも１つのコンピュータコンポーネントに対応するサイズを有することを特徴とする請求項１に記載のコンピュータシャーシ。
【請求項４】
前記少なくとも１つのスレッドは、少なくとも１つの後部ブラケットを備え、前記少なくとも１つの後部ブラケットの端部の高さは、シャーシベースと前記少なくとも一対のレールブラケットとの間の距離よりも低いことを特徴とする請求項３に記載のコンピュータシャーシ。
【請求項５】
前記少なくとも１つの後部ブラケットの中間部分の高さは、前記設定高さよりも高いことを特徴とする請求項４に記載のコンピュータシャーシ。
【請求項６】
前記少なくとも１つのスレッドのうち第１スレッドのサイズは、前記少なくとも１つのスレッドのうち第２スレッドのサイズと異なることを特徴とする請求項３に記載のコンピュータシャーシ。
【請求項７】
シャーシ本体と、少なくとも１つのスレッドと、を備えるシャーシアセンブリであって、
前記シャーシ本体は、少なくとも一対のレールブラケットを有し、前記少なくとも一対のレールブラケットのうち第１ブラケットは、前記シャーシ本体の第１側に位置し、前記少なくとも一対のレールブラケットのうち第２ブラケットは、前記シャーシ本体の第２側に位置し、前記第２側と前記第１側とは、前記シャーシ本体の反対側であり、
前記少なくとも１つのスレッドの各々は、少なくとも１つのコンピュータコンポーネントを搭載し、前記少なくとも１つのスレッドの各々は、前記少なくとも１つのコンピュータコンポーネントに対応するサイズを有することを特徴とするシャーシアセンブリ。
【請求項８】
前記シャーシ本体は、２つ以上のパーティションを備え、前記少なくとも一対のレールブラケットは、各パーティションの側面に沿って配置されていることを特徴とする請求項７に記載のシャーシアセンブリ。
【請求項９】
少なくとも１つの後部ブラケットを備え、前記少なくとも１つの後部ブラケットの各々は、前記少なくとも１つのスレッドのうち１つのスレッドと接続されていることを特徴とする請求項７に記載のシャーシアセンブリ。
【請求項１０】
複数のコンピュータシャーシを収容するラックシステムであって、
複数のシャーシ本体と、複数のスレッドと、を備え、
前記複数のシャーシ本体の各々は、少なくとも一対のレールブラケットを有し、前記少なくとも一対のレールブラケットのうち第１ブラケットは、各シャーシ本体の第１側に位置し、前記少なくとも一対のレールブラケットのうち第２ブラケットは、各シャーシ本体の第２側に位置し、前記第１側と前記第２側とは、各シャーシ本体の反対側であり、各シャーシ本体は、少なくとも１つのスレッドを収容するように構成されており、
前記複数のスレッドの各々は、少なくとも１つのコンピュータコンポーネントを搭載し、前記複数のスレッドの各々は、前記少なくとも１つのコンピュータコンポーネントに対応するサイズを有することを特徴とするラックシステム。
【発明の詳細な説明】
【技術分野】
【０００１】
本発明は、異なるサイズのスレッド（sleds）を搭載するように構成されたコンピュータシャーシに関する。
【背景技術】
【０００２】
コンピュータシャーシをラックシステムで使用すると、様々なサイズの様々なコンピュータコンポーネントを搭載することができる。例えば、１つのコンピュータシャーシは、複数のスレッドを搭載することができ、各スレッドは、特定のコンピュータコンポーネントを搭載するようにサイズ調整されている。従来のコンピュータシャーシは、例えば、１Ｕスレッド、２Ｕスレッド及び／又は３Ｕスレッドを搭載することができる。
【０００３】
異なるサイズのスレッドを１つのコンピュータシャーシに搭載するために、従来のシャーシは、スレッドのサイズに従ったパーティションを用いて恒久的に構成される必要がある。パーティションは、コンピュータシャーシが複数のスレッドを搭載するための構造的なサポートを提供する。例えば、１つのコンピュータシャーシを３つの独立した恒久的なパーティションで構成して、３つの１Ｕスレッドをサポートすることができる。別の例では、１つのコンピュータシャーシを２つの独立した恒久的なパーティションで構成して、１つの１Ｕスレッドと１つの２Ｕスレッドとをサポートすることができる。第３の例では、１つのコンピュータシャーシをパーティション無しで構成して、１つの３Ｕスレッドをサポートすることができる。コンピュータシャーシ内の恒久的なパーティションの構成によって、同じコンピュータシャーシが、第１サイズのスレッドを搭載した後に第２サイズのスレッドを搭載するのを抑制する。
【０００４】
例えば、２Ｕスレッドは１Ｕスレッドの約２倍の大きさであり、３Ｕスレッドは１Ｕスレッドの約３倍の大きさである。よって、３つの１Ｕスレッドを搭載するように構成されたコンピュータシャーシは、２Ｕスレッド又は３Ｕスレッドを収容することができない。同様の問題において、単一の３Ｕスレッドを搭載するように構成されたコンピュータシャーシは、３つの１Ｕスレッドの各々をサポートするパーティションを有していないので、３つの１Ｕスレッドを搭載することができない。
【０００５】
これらのシャーシ設計では、スレッドサイズのあらゆる組み合わせをサポートするように構成された多種多様なシャーシ本体をユーザに維持させる。１つのスレッドを異なるサイズの別のスレッドに交換する必要がある場合には、コンピュータシャーシ全体を交換する必要がある。これにより、可能なシャーシサイズの全てをサポートする必要があるため、コストが高くなる。また、搭載されている機器のサイズを変更すると、コンピュータシャーシ全体を交換する必要があるため、追加の負担が生じる。
【０００６】
よって、第１スレッドを異なるサイズの第２スレッドに交換する場合に、シャーシ全体を交換する必要のないコンピュータシャーシ設計が必要とされている。
【発明の概要】
【発明が解決しようとする課題】
【０００７】
本発明は、コンピュータシャーシを提供する。
【課題を解決するための手段】
【０００８】
本発明の第１実施形態において、コンピュータシャーシは、少なくとも一対のレールブラケットを有するシャーシ本体とすることができる。一対のレールブラケットの第１レールブラケットをシャーシ本体の第１側に配置し、第２レールブラケットをシャーシ本体の第２側に配置することができ、第２側と第１側とは、シャーシ本体の反対側である。第１レールブラケット及び第２レールブラケットは、シャーシ本体の底面から設定高さにすることができる。
【０００９】
いくつかの例において、シャーシ本体は、少なくとも２つのパーティションを含むことができる。いくつかの対のレールブラケットを、各パーティションの側面に沿って配置することができる。
【００１０】
いくつかの例において、コンピュータシャーシは、少なくとも１つのスレッドを含むことができる。スレッドは、少なくとも１つのコンピュータコンポーネントを搭載することができる。スレッドのサイズは、少なくとも１つのコンピュータコンポーネントのサイズに対応することができる。
【００１１】
いくつかの例において、各スレッドは、少なくとも１つの後部ブラケットを含むことができる。例示的な後部ブラケットは、スレッドと接続することができる。後部ブラケットの端部の高さは、シャーシベースと少なくとも一対のレールブラケットとの間の距離（レールブラケットの設定高さ）より低くすることができる。後部ブラケットの中央部分の高さは、レールブラケット設定高さより高くすることができる。
【００１２】
いくつかの例において、少なくとも１つのスレッドのうち第１スレッドは、少なくとも１つのスレッドのうち第２スレッドと異なるサイズを有することができる。いくつかの例において、少なくとも１つのスレッドは、１Ｕスレッド、２Ｕスレッド又は３Ｕスレッドとすることができる。いくつかの例において、各スレッドは、シャーシ本体の残りのスレッドに関係なく、シャーシ本体に出入りすることがでいる。
【００１３】
本発明の第２実施形態は、シャーシアセンブリを提供することができる。シャーシアセンブリは、シャーシ本体と、少なくとも１つのスレッドと、少なくとも１つの後部ブラケットと、を含むことができる。シャーシ本体は、少なくとも一対のレールブラケットを含むことができる。一対のレールブラケットのうち第１レールブラケットはシャーシ本体の第１側に位置し、前記一対のレールブラケットのうち第２ブラケットは、シャーシ本体の第２側に位置してもよい。第１側と第２側とは、シャーシ本体の反対側であってもよい。少なくとも１つのスレッドは、少なくとも１つのコンピュータコンポーネントを搭載することができる。スレッドは、スレッド内の少なくとも１つのコンピュータコンポーネントに対応するサイズを有することができる。第２実施形態の別の例は、第１実施形態に関して上述した通りであってもよい。
【００１４】
本発明の第３実施形態は、複数のコンピュータシャーシを収容するラックシステムを提供することができる。ラックシステムは、複数のシャーシ本体と、複数のスレッドと、複数の後部ブラケットと、を含むことができる。各シャーシ本体は、少なくとも一対のレールブラケットを含むことができる。少なくとも一対のブラケットのうち第１ブラケットは各シャーシ本体の第１側に位置し、前記一対のブラケットのうち第２ブラケットはシャーシ本体の第２側に位置してもよい。第１側と第２側とは、シャーシ本体の反対側であってもよい。各シャーシ本体は、少なくとも１つのスレッドを収容するように構成されてもよい。複数のスレッドの各々は、少なくとも１つのコンピュータコンポーネントを搭載することができる。各スレッドは、スレッドに搭載されている少なくとも１つのコンピュータコンポーネントのサイズに従ってサイズ調整されてもよい。複数の後部ブラケットの各々は、複数のスレッドのうち１つのスレッドと接続するように構成されてもよい。第３実施形態の追加の例は、第１実施形態に関して上述した通りであってもよい。
【００１５】
上述した概要は、本発明の各実施形態又は各実施態様を表すことを意図していない。むしろ、上述した概要は、本明細書に記載されたいくつかの新規な態様及び特徴の例を提供するに過ぎない。本発明の上記の特徴及び利点並びに他の特徴及び利点は、添付の図面及び特許請求の範囲と合わせて、本発明を実施するための代表的な実施形態及びモードの以下の詳細な説明から容易に明らかになるであろう。
【発明の効果】
【００１６】
本発明によれば、スレッド交換が簡単になる。
【００１７】
添付の図面は、本発明の実施形態を例示し、説明と共に本発明の原理を説明及び例示するのに役立つ。図面は、例示的な実施形態の主要な特徴を図式的に示すことを意図している。図面は、実際の実施形態の全ての特徴及び示された要素の相対的な寸法を示すことを意図しておらず、縮尺通りに描かれていない。
【図面の簡単な説明】
【００１８】
【図１】従来技術によるコンピュータシャーシの従来の設計を示す図である。
【図２】本発明の一実施形態による、様々なスレッド構成を有するコンピュータシャーシの例示的な設計を示す図である。
【図３】本発明の一実施形態による、シャーシに搭載（loading into）されるスレッドのセットを示す図である。
【図４Ａ】本発明の一実施形態による、例示的な区分化されたコンピュータシャーシの正面図である。
【図４Ｂ】本発明のいくつかの実施形態による、例示的な２Ｕスレッド及び後部ブラケットの側面図である。
【図４Ｃ】本発明のいくつかの実施形態による、１Ｕスレッド及び後部ブラケットの側面図である。
【図５Ａ】本発明のいくつかの実施形態による、搭載された構成（ロード構成）における例示的な区分化されたシャーシを示す図である。
【図５Ｂ】本発明のいくつかの実施形態による、部分的なロード構成における例示的なシャーシを示す図である。
【発明を実施するための形態】
【００１９】
添付図面を参照しながら本発明を説明し、同様の又は同等の要素を示すために、図面全体を通して同様の符号が用いられている。図面は縮尺通りに描かれておらず、単に本発明を説明するために提供されている。本発明のいくつかの態様は、例示的な用途を参照して以下に説明される。本発明の十分な理解を提供するために、いくつかの特定の詳細、関係及び方法が記載されていることを理解されたい。しかし、当業者であれば、１つ以上の特定の詳細無しに又は他の方法を用いて本発明を実施し得ることを容易に認識するであろう。他の例では、本発明を曖昧にすることを避けるために、周知の構造又は動作を詳細に示していない。いくつかの動作が異なる順序で及び／又は他の動作やイベントと同時に発生し得るため、本発明は、動作やイベントの図示された順序によって限定されない。さらに、本発明による方法を実施するために、例示された全ての動作やイベントが必要とされているわけではない。
【００２０】
本発明は、レールブラケットを有するコンピュータシャーシに関し、レールブラケットは、コンピュータシャーシの側面に沿って配置されており、スレッドを、コンピュータシャーシの内外にスライドさせるのを可能にする。また、この設計により、任意のサイズのスレッドを例示的なシャーシにおいて使用することができる。特定のスレッドの高さのみを許可する恒久的なパーティションをシャーシが有していないので、このような特徴が提供されている。よって、本発明の一実施形態による例示的なシャーシは、スレッドが異なるサイズを有することができる様々なスレッド構成を提供することができる。
【００２１】
図１は、従来技術によるコンピュータシャーシの従来の設計を示す図である。図１は、第１設計１０２（アンロード(unloaded)位置１０２ａ及びロード（loaded）位置１０２ｂ）と、第２設計１０４（アンロード位置１０４ａ及びロード位置１０４ｂ）と、第３設計１０６（アンロード位置１０６ａ及びロード位置１０６ｂ）と、第４設計１０８（アンロード位置１０８ａ及びロード位置１０８ｂ）と、におけるシャーシを示す図である。また、図１は、第１サイズのスレッド１１０と、第２サイズのスレッド１１２と、第３サイズのスレッド１１４と、を示している。
【００２２】
第１設計１０２は、３つの第１サイズのスレッド１１０を収容するように構成された３パーティションのシャーシを提供する。第２設計１０４は、第１サイズのスレッド１１０の上方で第２サイズのスレッド１１２を収容するように構成された２パーティションのシャーシを提供する。第３設計１０６は、第１サイズのスレッド１１０の下方で第２サイズのスレッド１１２を収容するように構成された２パーティションのシャーシを提供する。第４設計１０８は、第３サイズのスレッド１１４を収容するように構成された単一パーティションのシャーシを提供する。
【００２３】
ロード位置１０２ｂ，１０４ｂ，１０６ｂ，１０８ｂと、アンロード位置１０２ａ，１０４ａ，１０６ａ，１０８ａと、の両方で示すように、コンピュータシャーシ１０２，１０４，１０６，１０８は、これらの所定のサイズに従って、スレッド１１０，１１２，１１４のみを収容することができる。例えば、第２サイズのスレッド１１２及び第３サイズのスレッド１１４では、３つのパーティションには大きすぎるので、シャーシ１０２に収まらない。別の例では、シャーシ１０８には、別のスレッド１１０，１１２，１１４を収容する他のサポートがないので、シャーシ１０８は、スレッドサイズに関係なく、スレッド１１０，１１２，１１４のうち１つのスレッドのみを収容することができる。
【００２４】
よって、従来のシャーシ設計は、これらの所定の設計に柔軟性がないので、柔軟なスレッド管理を可能にしない。ユーザがシャーシ１０２を有しており、３つの第１サイズのスレッド１１０のうち２つのスレッドを第２サイズのスレッド１１２と交換したい場合、ユーザは、全ての第１サイズのスレッド１１０を取り外し、シャーシ１０２をシャーシ１０４と交換し、選択されたスレッドを交換する必要がある。
【００２５】
従来のシャーシ設計の制限に応じて、本発明は、様々なスレッド構成を収容することができる単一のシャーシ設計を提供するレールブラケットを備えたシャーシ設計を提供する。図２は、スレッド１１０，１１２，１１４の様々なロード構成（２０２ｃ，２０２ｄ，２０２ｅ，２０２ｆ）をサポートすることができる例示的なシャーシ２０２を示す図である。
【００２６】
シャーシ２０２は、数対のレールブラケット２０４を有する。各シャーシ２０２は、二対のレールブラケット２０４を有するように示されているが、本発明は、少なくとも一対のレールブラケット２０４があれば、任意の数の対のレールブラケット２０４を例示的なシャーシ２０２に提供することができると考えられる。各対のレールブラケット２０４は、シャーシの底面２０６から同じ高さに位置する。コンピュータシャーシに２対以上のレールブラケット２０４が存在するいくつかの例では、各対のレールブラケット２０４は、（図２に示すように）設定高さ２０６ａに存在することができる。別の例（図示省略）では、高さ２０６ａは、各対のレールブラケット２０４で可変であってもよい。例えば、設定高さ２０６ａは、第１サイズのスレッド１１０の高さとすることができる。各レールブラケット２０４は、（図３に示すように）シャーシ２０２の幅に沿って延在する。よって、各対のレールブラケット２０４によって、シャーシ２０２がスレッド１１０，１１２，１１４のうち何れかを収容することができる。
【００２７】
第１ロード構成２０２ｃでは、シャーシ２０２は、３つの第１サイズのスレッド１１０を搭載することができ、２つの第１サイズのスレッド１１０を二対のレールブラケット２０４ａ，２０４ｂの上部に載せ、３つ目の第１サイズのスレッド１１０をシャーシ２０２の底面２０６上に載せることができる。第２ロード構成２０２ｄでは、シャーシ２０２は、２番目の対のレールブラケット２０４ｂの上部に第２サイズのスレッド１１２を搭載し、第１サイズのスレッド１１０を底面２０６上に載せることができる。第３ロード構成２０２ｅでは、シャーシ２０２は、第２サイズのスレッド１１２を底面２０６上に載せ、第１サイズのスレッド１１０を１番目の対のレールブラケット２０４ａ上に載せることができる。第４ロード構成２０２ｆでは、シャーシ２０２は、第３サイズのスレッド１１４を底面２０６に載せることができる。
【００２８】
シャーシ２０２は、システムのニーズに応じて、様々なロード構成２０２ｃ，２０２ｄ，２０２ｅ，２０２ｆを提供することができる。シャーシ２０２は、シャーシ２０２を交換することなく、個々のスレッド１１０，１１２，１１４を交換することができる。例えば、シャーシ２０２は、レールブラケット２０４ａ，２０４ｂ上に載せられた第１サイズのスレッド１１０を取り外し、第２サイズのスレッド１１２をレールブラケット２０４ｂ上に搭載することにより、構成２０２ｃから構成２０２ｄに容易に移行することができる。このシャーシ２０２は、スレッドの容易な交換ができない従来の設計を超える実質的な利点を提供する。
【００２９】
本発明のいくつかの例では、第１サイズのスレッド１１０は１Ｕスレッドであってもよく、第２サイズのスレッド１１２は２Ｕスレッドであってもよく、第３サイズのスレッド１１４は３Ｕスレッドであってもよい。１Ｕスレッド、２Ｕスレッド及び３Ｕスレッドが特別に定義されているが、本発明は、任意のスレッドが使用可能であると想定している。
【００３０】
図３は、本発明の一実施形態による例示的なシステム３００を示す図である。システム３００は、多くのコンポーネントと、図１及び図２と同様の符号と、を含む。また、システム３００は、シャーシ３０２と、トレイベース３０６と、第１後部ブラケット３０８と、第２後部ブラケット３１０と、メインボード３１２と、を含むことができる。
【００３１】
システム３００は、２つのパーティション３０２ａ，３０２ｂを有するシャーシ３０２を含み、各パーティション３０２ａ，３０２ｂは、スレッド１１０又はスレッド１１２を収容することができる。各パーティション３０２ａ，３０２ｂは、パーティション３０２ａ，３０２ｂの長さに沿って延在する一対のレールブラケット２０４を有する。各対の単一のレールブラケット２０４が示されているが（例えば、側面３０２ｄ，３０２ｅ）、各レールブラケットは、パーティション３０２ａ，３０２ｂの反対側（例えば、側面３０２ｆ，３０２ｇの各々）に対応する部材を有することができる。システム３００は、パーティション３０２ａ，３０２ｂ毎に一対のレールブラケット２０４のみを示しているが、パーティション３０２ａ，３０２ｂは、（例えば、図２に関して説明したように）任意の数の対のレールブラケット２０４を有してもよい。システム３００は、２つのパーティション３０２ａ，３０２ｂのみを示しているが、シャーシ３０２は、任意の数のパーティションを有してもよい。
【００３２】
システム３００は、スレッド１１０，１１２をさらに設けることができ、各スレッドは、トレイベース３０６と、メインボード３１２と、を有する。トレイベース３０６は、メインボード３１２及びメインボード３１２上の任意のコンピュータコンポーネントに対して構造的なサポートを提供する。メインボード３１２は、１Ｕスレッドサイズを超えるコンピュータコンポーネントを搭載することができる。システム３００は、第１サイズのスレッド１１０用の第１後部ブラケット３０８と、第２サイズのスレッド１１２用の第２後部ブラケット３１０と、をさらに含むことができる。後部ブラケット３０８，３１０は、プラグインされた追加のコンポーネントをサポートして、電磁干渉シールドを提供し、ユーザがプリント回路基板に直接接触するのを防止する。本発明のいくつかの例では、後部ブラケット３０８，３１０は、トレイベース３０６に直接取り付けられ、他の例では、後部ブラケット３０８，３１０は、メインボード３１２上のコンピュータコンポーネントに取り付けられてもよい。
【００３３】
例えば、シャーシ３０２は、第２サイズのスレッド１１２を第１パーティション３０２ａに収容し、第１サイズのスレッド１１０を第２パーティション３０２ｂに収容することができる。第１サイズのスレッド１１０は、シャーシ３０２の底面３０２ｃ上に、又は、一対のレール２０４に沿って載置することができる。第２サイズのスレッド１１２は、シャーシ３０２の高さ３１６と同じ高さ３１４を有してもよい。図３は、パーティションが同じ設計を有し、任意のサイズのスレッドを収容することができるので、スレッド１１０又はスレッド１１２がパーティション３０２ａ，３０２ｂに適合可能であることを示している。よって、システム３００は、何れのスレッドがシャーシの何れの部分に入るかを柔軟に管理することができない従来のシャーシ設計よりも優れた利点を提供する。
【００３４】
図４Ａは、本発明の一実施形態による例示的なシステム４００Ａの正面図である。システム４００Ａは、多くのコンポーネントと、図１〜図３と同じ符号と、を含む。また、システム４００Ａは、後部ブラケット３１０の端部４０２と、中間部分４０４と、を示している。端部４０２の高さは、レールブラケット２０４の設定高さ４０６より低くてもよく、中間部分４０４の高さは、設定高さ４０６より高くてもよい。端部４０２の高さが低いことにより、後部ブラケット３１０をシャーシ３０２内にスライドすることができ、後部ブラケット３１０は、スレッド及びスレッド上のコンピュータコンポーネント（図示省略）を保護することができる。
【００３５】
よって、シャーシ３０２は、第１サイズのスレッド１１０及び第２サイズのスレッド１１２を収容することができる。本発明は、スレッドの高さがシャーシ３０２の高さよりも高くなければ、シャーシ３０２が任意のサイズのスレッドを収容することができると考えられる。
【００３６】
図４Ｂは、本発明のいくつかの実施形態による、２Ｕスレッド及び後部ブラケット４００Ｂの側面図であり、図４Ｃは、本発明のいくつかの実施形態による、１Ｕスレッド及び後部ブラケット４００Ｃの側面図である。図４Ｂ及び図４Ｃは、多くのコンポーネントと、図１〜図３と同じ符号と、を含む。また、図４Ｂ及び図４Ｃは、後部ブラケット３０８，３１０の前部３０８ａ，３１０ａを示している。図４Ｂ及び図４Ｃは、スレッド１１０，１１２毎に同じトレイベース３０６及びメインボード３１２を使用可能であることを示している。
【００３７】
図５Ａは、本発明の実施形態による、ロード構成５００Ａにおける例示的な区分化されたシャーシを示す図であり、図５Ｂは、部分的なロード構成５００Ｂにおける例示的なシャーシを示す図である。図５Ａ〜図５Ｂは、多くのコンポーネントと、図１〜図４Ｃと同じ符号と、を含む。図５Ａ〜図５Ｂは、シャーシ３０２が、第２サイズのスレッド１１２をパーティション３０２ａにどのように搭載し、２つの第１サイズのスレッド１１０をパーティション３０２ｂ内にどのように搭載することができるかを示している。図５Ｂは、各スレッド１１０ａ，１１０ｂ，１１２を、互いに独立してシャーシにどのように出し入れするかを示している。例えば、スレッド１１２は、シャーシ３０２から半分引き出され、底部スレッド１１０は、シャーシ３０２から少し引き出され、上部スレッド１１０は、ロード構成のままである。
【００３８】
よって、図５Ａ〜図５Ｂは、シャーシ３０２全体を交換してシャーシ３０２から他の既存のスレッド（例えば、パーティション３０２ｂ内の２つのスレッド１１０）を取り外す必要なく、第２サイズのスレッド１１２を２つの第１サイズのスレッド１１０に交換することができる方法を示している。
【００３９】
以上、本発明の様々な実施形態について説明したが、これらの実施形態は例示的なものであり、限定的なものではないことを理解されたい。開示された実施形態に対する多くの変更は、本発明の趣旨及び精神から逸脱することなく、本明細書の開示に従って行うことができるよって、本発明の広さや範囲は、上述した何れの実施形態によっても限定されるべきではない。むしろ、本発明の範囲は、以下の特許請求の範囲及びこれらの均等物に従って定義されるべきである。
【００４０】
本発明は、１つ以上の実施形態に関して図示及び説明されているが、当業者であれば、本明細書及び添付の図面を読んで理解すれば、同等の変更及び修正を行うことができるであろう。また、本発明の特定の特徴は、いくつかの実施形態のうち１つの実施形態のみに関して開示されてもよいが、かかる特徴は、他の実施形態の１つ以上の他の特徴と組み合わされてもよく、所定の又は特定の用途に望まれ、有利になり得る。
【００４１】
本明細書で用いられる用語は、特定の実施形態を説明することを目的としており、本発明を限定することを意図していない。本明細書で使用されているように、「一」、「１つの」、「この」という単数形は、文脈が他のことを明確に示さない限り、複数形も含むことが意図されている。さらに、「含む」、「有する」やこれらの変化形が、詳細な説明及び／又は特許請求の範囲に用いられており、このような用語の意味は、「備える」という用語と同様に包括的であることを意図している。
【００４２】
特に定義されない限り、本明細書で用いられる全ての用語（技術用語及び科学用語を含む）は、当業者によって一般に理解されるのと同じ意味を有する。さらに、一般的に使用される辞書において定義されるような用語は、関連技術の文脈におけるこれらの意味と一致する意味を有するものとして解釈されるべきであり、本明細書において明示的に定義されない限り、理想化された意味又は過度に形式的な意味で解釈されない。
【符号の説明】
【００４３】
１０２…第１設計
１０４…第２設計
１０６…第３設計
１０８…第４設計
１０２ａ，１０４ａ，１０６ａ，１０８ａ…アンロード位置
１０２ｂ，１０４ｂ，１０６ｂ，１０８ｂ，５００Ａ，５００Ｂ…ロード位置
１１０…第１サイズのスレッド
１１２…第２サイズのスレッド
１１４…第３サイズのスレッド
２０２…シャーシ
２０２ｃ…第１ロード構成
２０２ｄ…第２ロード構成
２０２ｅ…第３ロード構成
２０２ｆ…第４ロード構成
２０４…レールブラケット
２０４ａ…１番目の対のレールブラケット
２０４ｂ…２番目の対のレールブラケット
２０６，３０２ｃ…底面
２０６ａ，４０６…設定高さ
３００，４００Ａ…システム
３０２ａ，３０２ｂ…パーティション
３０２ｄ，３０２ｅ，３０２ｆ，３０２ｇ…側面
３０６…トレイベース
３０８…第１後部ブラケット
３１０…第２後部ブラケット
３０８ａ，３１０ａ…前部
３１２…メインボード
３１４，３１６…高さ
４００Ｂ，４００Ｃ…後部ブラケット
４０２…端部
４０４…中間部分
【図１】
2020144836.tif 000003
【図２】
2020144836.tif 000004
【図３】
2020144836.tif 000005
【図４Ａ】
2020144836.tif 000006
【図４Ｂ】
2020144836.tif 000007
【図４Ｃ】
2020144836.tif 000008
【図５Ａ】
2020144836.tif 000009
【図５Ｂ】
2020144836.tif 000010